(57)【要約】【課題】倉庫在庫品の通常入出庫において棚整理を意識せずに棚の空きスペースを発生させることにより入庫場所の有効使用ができ、さらに、物品を棚から取り出し運搬カートに乗っている状態であるピッキング移動中の在庫を把握できる機能もある棚整理システムの提供。【解決手段】この棚整理システムは、倉庫棚の整理管理を行う棚整理手段１００と、出荷受付情報管理をする受付手段２００と、入庫出庫を行う為の運搬カート３５０に設置されている作業端末３００とから構成され、これらはインターネット等の通信ネットワーク５００を介して情報のやりとりを行うことを特徴とする棚整理システム。【選択図】      図１
2006264812.tif 000002
【特許請求の範囲】
【請求項１】
倉庫棚の整理管理を行う棚整理手段と、出荷受付情報管理をする受付手段と、前記倉庫棚に対して入庫または出庫される物品を運搬する為の運搬カートに設置されている作業端末とから構成され、前記棚整理手段が、前記倉庫棚から取り出した前記物品が前記運搬カートに乗っている状態、すなわちピッキング移動中の状態の前記物品を在庫として考慮して前記倉庫棚の整理管理を行うことを特徴とする棚整理システム。
【請求項２】
前記棚整理手段は、入出庫処理部と物品在庫ＤＢ（データベース）とを含み、
前記入出庫処理部は、入庫した前記物品の情報及び前記運搬カートの作業中在庫であるピッキング移動中の前記物品の情報を前記物品在庫ＤＢに登録するとともに、前記物品の出庫時には前記運搬カートの携帯端末に対して当該物品の出庫指示を出し、前記物品在庫ＤＢを更新する機能を有する
ことを特徴とする請求項１記載の棚整理システム。
【請求項３】
前記棚整理手段は、さらに棚整理処理部を含み、
前記棚整理処理部は、前記受付手段または前記作業端末からの要求に応じて、前記物品を入庫するための空きスペースとして、まずメイン棚、次に当該メイン棚の棚空きスペースが無くなったときに入庫する場所であるサブ棚の順に棚位置の情報を提供する機能を有する
ことを特徴とする請求項１または請求項２に記載の棚整理システム。
【請求項４】
倉庫棚への物品の入庫時に、当該倉庫棚へ入庫した物品の情報及び当該倉庫棚に対して入庫または出庫される物品を運搬する為の運搬カートの作業中在庫であるピッキング移動中の前記物品の情報を物品在庫ＤＢに登録する入庫ステップと、
前記倉庫棚への物品の出庫時に、前記運搬カートの携帯端末に対して当該物品の出庫指示を出し、前記物品在庫ＤＢを更新する出庫ステップと、
を含むことを特徴とする棚整理方法。
【発明の詳細な説明】
【技術分野】
【０００１】
本発明は、棚整理システム及び棚整理方法に関する。
【背景技術】
【０００２】
従来の在庫管理システムの一例が特許文献１に記載されている。
【０００３】
この従来の在庫管理システムは、複数段でなる棚を複数有するものであって、物品が任意の棚の任意の段に収容される棚装置を有する。また、物品毎のコードと、その物品を収容している棚の段を規定する収容位置データとを対応させて記憶する収容位置データ記憶手段と、入荷時や出荷時や棚整理時など、棚装置における物品の収容状態が変更されたときに、収容位置データ記憶手段の記憶内容を更新する収容位置データ更新手段と、ある物品の収容位置データが要求されたときに、収容位置データ記憶手段をアクセスして、その物品の収容位置データを提供する収容位置データ検索手段とを有する。
【０００４】
上記構成によれば、作業者は、入荷時などに任意の棚の任意の段に物品を収容させることができ、その収容時の作業性を良好なものとすることができ、また、任意の位置に収容できるので収容空間も効率的に利用可能である。さらに、収容位置データ記憶手段、収容位置データ更新手段、及び、収容位置データ検索手段を有することにより、任意の位置に物品を収容させても、その位置を管理でき、必要に応じて、作業者が容易に物品を取り出すことができる。
【０００５】
【特許文献１】特開２００１−１７１８１０号公報（［０００８］〜［０００９］）
【発明の開示】
【発明が解決しようとする課題】
【０００６】
上述した従来の在庫管理システムは、任意の棚の任意の段の任意の位置に物品を収容でき、またその位置を管理するようにしたことにより、要求に応じて任意の位置の物品を取り出すことができる。
【０００７】
しかしながら、この従来の在庫管理システムにおいては、棚から取り出した物品が運搬カートに乗っている状態、すなわちピッキング移動中の状態の物品を考慮していないので、このピッキング移動中にさらに物品の収容要求が来た場合にその物品を収容しようとする位置にピッキング移動中の物品が収容されてしまって収容要求された物品を収容できなくなる可能性があるという問題点がある。
【０００８】
本発明の目的は、ピッキング移動中の状態の物品を考慮した棚整理システム及び棚整理方法を提供することにある。
【課題を解決するための手段】
【０００９】
本発明の棚整理システムは、倉庫棚の整理管理を行う棚整理手段と、出荷受付情報管理をする受付手段と、前記倉庫棚に対して入庫または出庫される物品を運搬する為の運搬カートに設置されている作業端末とから構成され、前記棚整理手段が、前記倉庫棚から取り出した前記物品が前記運搬カートに乗っている状態、すなわちピッキング移動中の状態の前記物品を在庫として考慮して前記倉庫棚の整理管理を行うことを特徴とする。
【００１０】
また、本発明の棚整理システムは、記棚整理手段は、入出庫処理部と物品在庫ＤＢ（データベース）とを含み、前記入出庫処理部は、入庫した前記物品の情報及び前記運搬カートの作業中在庫であるピッキング移動中の前記物品の情報を前記物品在庫ＤＢに登録するとともに、前記物品の出庫時には前記運搬カートの携帯端末に対して当該物品の出庫指示を出し、前記物品在庫ＤＢを更新する機能を有することを特徴とする。
【００１１】
さらに、本発明の棚整理システムは、前記棚整理手段は、さらに棚整理処理部を含み、
前記棚整理処理部は、前記受付手段または前記作業端末からの要求に応じて、前記物品を入庫するための空きスペースとして、まずメイン棚、次に当該メイン棚の棚空きスペースが無くなったときに入庫する場所であるサブ棚の順に棚位置の情報を提供する機能を有することを特徴とする。
【００１２】
さらに、本発明の棚整理方法は、倉庫棚への物品の入庫時に、当該倉庫棚へ入庫した物品の情報及び当該倉庫棚に対して入庫または出庫される物品を運搬する為の運搬カートの作業中在庫であるピッキング移動中の前記物品の情報を物品在庫ＤＢに登録する入庫ステップと、前記倉庫棚への物品の出庫時に、前記運搬カートの携帯端末に対して当該物品の出庫指示を出し、前記物品在庫ＤＢを更新する出庫ステップと、を含むことを特徴とする。
【発明の効果】
【００１３】
本発明によれば、棚から取り出した物品が運搬カートに乗っている状態、すなわちピッキング移動中の状態の物品を考慮した棚整理システムなので、ピッキング移動中にさらに物品の収容要求が来た場合でもその物品を収容しようとする位置にピッキング移動中の物品が収容されてしまって収容要求された物品を収容できなくなるということは生じない。
【発明を実施するための最良の形態】
【００１４】
次に、本発明の実施の形態について図面を参照して詳細に説明する。
【００１５】
本発明の一実施の形態の構成を示す図１及び図２を参照すると、この実施の形態の棚整理システムは、倉庫棚の整理管理を行う棚整理手段１００と、出荷受付情報管理をする受付手段２００と、入庫出庫を行う為に運搬カート３５０に設置されている作業端末３００とから構成され、これらはインターネット等の通信ネットワーク５００を介して情報のやりとりを行う。
【００１６】
棚整理手段１００は、入出庫処理部１０１と棚整理処理部１０２と物品在庫ＤＢ（データベース）４０１とを含むデータ処理装置である。
【００１７】
入出庫処理部１０１は、入庫した時の情報（品名−棚位置−入庫数）を物品在庫ＤＢ４０１に登録する。運搬カート３５０の作業中在庫あるピッキング移動中在庫も登録しており、緊急出庫が発生した場合など運搬カート３５０の携帯端末３０１に対して指示をだすこともできる。出庫の場合は物品在庫ＤＢ４０１の内容を更新・削除する。
【００１８】
棚整理処理部１０２は、携帯端末３０１や受付手段２００の要求で、メイン棚Ｂ・サブ棚Ｄの順に棚位置データの提供を行う。メイン棚Ｂは、最初に入庫された場所で、本処理プロセス後は主に棚在庫の多い場所となる。サブ棚Ｄは、メイン棚Ｂの棚空きスペースが無く別の棚に入庫した場所である。出庫時は倉庫棚空きスペースを作成する為、１品名当たり複数の棚を設けている場合は物品在庫ＤＢ４０１情報のメイン棚Ｂ・サブ棚Ｄに置いてある在庫数を参照して少ない棚から出庫するように携帯端末３０１へ指示する。この作業の結果複数棚の削減と上重ねする品名の空間領域の無駄を削減できる。もしメイン棚Ｂの在庫が無くなった場合、サブ棚Ｄの中で棚在庫が多い場所がメイン棚Ｂに昇格する。
【００１９】
受付手段２００は、緊急処理部２０１と納期管理処理部２０２と受付情報ＤＢ４０２とを含むデータ処理装置である。
【００２０】
緊急処理部２０１は、緊急顧客用で当日受付当日発送を行う為の受付手段で、作業端末３００から受付情報（ユーザ情報、納期、納品先、品名、数量）が入力される。運搬カート３５０中の在庫も物品在庫ＤＢ４０１から検索できるので、入庫前の運搬中、ピッキング（物品を棚から取り出し運搬カートに乗っている状態）後の発送振り替えもでき緊急度の高い顧客対応ができる。
【００２１】
納期管理処理部２０２は、後日発送情報を納期管理している出荷待ち受付手段で、受付情報ＤＢ４０２に受付情報（ユーザ情報、納期、納品先、品名、数量）を蓄積している。受付情報ＤＢ４０２への入力は、携帯端末３０１・受付端末３０２から行う。携帯端末３０１への出庫情報送信は、顧客単位でまとめて配信する。
【００２２】
作業端末３００は、運搬カート３５０に設置されていて、携帯端末３０１と受付端末３０２とを含む。
【００２３】
携帯端末３０１は、運搬カート３５０とセットで行動し、入庫出庫時、品名・棚・数量等の情報を読み取り、棚整理手段１００へ送信する。又、棚整理処理部１０２からピッキング指示を受信する。携帯端末３０１は入庫専用又は出庫専用端末として利用するが、随時入庫・出庫端末として設定変更できる為、負荷の多い作業にいつでも切り替えができる。
【００２４】
受付端末３０２は、後日発送情報の登録を行う受付担当者専用端末である。
【００２５】
物品在庫ＤＢ４０１は、倉庫内の在庫状況を把握するＤＢで、棚又は運搬カート３５０の在庫数を管理している。在庫情報（品名−棚位置及び運搬カート−在庫数）がデータの１レコードになっている。
【００２６】
受付情報ＤＢ４０２は、後日発送情報を納期管理している出荷待ち受付情報（ユーザ情報、納品先、納期、品名、数量）を管理している。
【００２７】
図２、図３を参照して、この実施の形態の動作を説明する。
【００２８】
入庫時、倉庫スペースの不足の理由で同じ物品を同一棚に入庫できない場合、別棚に入庫する。このような作業を繰り返した場合、別棚が増大する可能性がある。これを改善するため、棚整理システムで各棚在庫数を把握し、棚在庫数の少ない場所から出荷することにより、倉庫空きスペースを増やす本発明の実施の形態の動作について、以下に説明する。
【００２９】
入庫作業、出庫作業、棚整理作業のそれぞれについて詳細に説明する。
【００３０】
★入庫作業
入庫作業者が、運搬カート３５０を入庫専用端末に切り替えて、入庫品を携帯端末３０１で情報を読み取り運搬カート３５０に搭載し、棚整理処理部１０２へ運搬中情報（運搬カートー梱包箱−品名−数量）を送信する。
【００３１】
入庫作業者は、棚整理処理部１０２から指定された棚在庫の多い棚位置へ入庫し、完了情報Ａ（入庫した棚−品名−数量）を携帯端末３０１で入出庫処理部１０１に送る。
【００３２】
入庫作業者の判断で指定棚に空きスペースがない場合、入庫作業者は棚整理処理部１０２に問い合わせ、サブ棚入れ場所の指示を受ける。
【００３３】
棚整理処理部１０２が指示する棚に入庫できない場合、又は、入庫作業者の判断で指示とは別な空きスペースに入庫する場合、完了情報Ａを携帯端末３０１で入出庫処理部１０１に送る。
【００３４】
★出庫作業
出庫作業者が、運搬カート３５０に梱包箱を設置し、運搬カート３５０を出庫専用端末に切り替える。
【００３５】
受付手段２００からの出庫情報（ユーザー情報−納期−納品先−品名−数量）を受け取り、顧客発送別単位に梱包箱に入れて出庫する。
【００３６】
出庫作業者は、出庫品のピッキング後、携帯端末３０１で情報を読み取り棚整理処理部１０２へ運搬中情報を送信する。
【００３７】
全てのピッキングが終わったら、出庫作業者が出荷待ちバッファ棚（ピッキングが終わった梱包箱を発送工程へ送る為の棚）へ運んで行き、完了情報Ｂ（出荷待ちバッファ棚−梱包箱）を携帯端末３０１で入出庫処理部１０１に送る。
【００３８】
複数のピッキングで、運搬カート３５０の梱包箱が一杯になり分納する場合、出庫作業者が一時入庫場所として出荷待ちバッファ棚へ運び、ピッキング済み梱包箱の上に分納ありの表札を置き、空の梱包箱を搭載し作業を続ける。顧客配送品全て揃うまで繰り返し作業する。
【００３９】
★棚整理作業
棚整理作業とは、分割されている棚の統合を行うことにより、倉庫の空きスペースを作成する作業である。
【００４０】
出庫作業者が、梱包箱を設置し運搬カート３５０を出庫専用端末に切り替える（出荷情報がない場合は自動的に棚整理する）。
【００４１】
受付手段２００からの棚整理情報（移動先棚−品名）を受け取り、出庫作業者が指示された移動先となる棚の空きスペースを確認する。
【００４２】
空きスペースがある場合、出庫作業者が移動予約の表札を棚の空きスペースに置き、移動可能情報を緊急処理部２０１へ送信する。
【００４３】
空きスペースがない場合は、次の情報を参照するため移動不可情報を緊急処理部２０１へ送信し、次の棚整理情報を受ける。
【００４４】
移動可能時、棚整理手段１００は物品在庫ＤＢ４０１を参照して棚在庫数が少ない棚の在庫情報を付加して運搬カート３５０へ移動情報（移動対象棚−移動対象棚品名−移動対象棚数量）を送信する。
【００４５】
出庫作業者は、指示された棚より移動対象品の情報を携帯端末３０１で読み取り、運搬カート３５０に搭載し棚整理処理部１０２へ運搬中情報を送信する。
【００４６】
出庫作業者は、移動先棚へ運んで行き予約表札を取った後、移動品を下ろし完了情報Ｂを携帯端末３０１で入出庫処理部１０１に送る。
【００４７】
以下に図３のフローチャートを基に、より具体的に説明する。
【００４８】
★出庫作業の流れ（分岐で棚整理作業）
運搬カート３５０に梱包箱をセットして、携帯端末３０１にカート番号、梱包箱番号を読ませる（Ａ１）。
【００４９】
携帯端末３０１より出庫の業務を選択して受付手段２００からの指示を待つ（Ａ２）。
【００５０】
出荷待ち行列から１件の出荷先の複数品名の情報を棚整理手段１００へ送信する（Ａ３）。
【００５１】
出荷情報が無い場合、棚整理手段１００へ棚整理情報を送る（Ａ１０へ）。
【００５２】
各品名において、物品在庫ＤＢ４０１を参照して棚在庫数が少ない情報を付加して運搬カート３５０へ出庫指示を行う（ピッキングルートの設定もおこなう）（Ａ４）。
【００５３】
ピッキング処理を品名項目分繰り返す。棚より必要個数分引き出しピッキング済みを物品在庫ＤＢ４０１へ送信する（Ａ５）。
【００５４】
梱包箱が一杯になった場合、出荷待ちバッファ棚へ運び（Ａ６）、カートより梱包箱を降ろし、分納有りの表札をつける（Ａ１を行いＡ５へ）。
【００５５】
全てのピッキングが終わり出荷待ちバッファ棚へ荷物が揃ったら出荷作業は完了する（Ａ７）。分納有りの表札があった場合外す。
【００５６】
棚整理手段１００が、物品在庫ＤＢ４０１を参照して棚在庫の少ない情報の品名情報を抜き出し在庫の多い棚へ移動を試みる。移動先の棚と品名の情報をカートに送る（Ａ１０）。
【００５７】
指定された棚位置に空きスペースがあるか目視する（Ａ１１）。
【００５８】
空きスペースがあった場合空きスペースに移動予約の表札を置き、棚整理手段１００へ移動可能の情報を渡し指示を受ける（Ａ１２）（Ａ１４へ）。
【００５９】
空きスペースがない場合は次の棚整理可能情報を問い合わせる（Ａ１３）（Ａ１０へ）。
【００６０】
棚整理手段１００は、物品在庫ＤＢ４０１を参照して移動対象棚在庫数が少ない情報を運搬カート３５０へ移動指示を行う（Ａ１４）。
【００６１】
ピッキング処理棚より移動品を引き出しピッキング済みを棚整理手段１００へ送信する（Ａ１５）（Ｂ５へ）。
【００６２】
★入庫作業の流れ
運搬カート３５０に梱包箱をセットして、携帯端末３０１にカート番号、梱包箱番号を読ませる（Ｂ１）。
【００６３】
入庫待ち品を携帯端末３０１に読ませ梱包箱に入れる。運搬カート３５０に入庫品を搭載したら棚整理手段１００に送信し指示を受ける（Ｂ２）。
【００６４】
棚整理手段１００は、物品在庫ＤＢ４０１にカート番号・品名・入庫数の在庫情報を送る。品名毎に、棚在庫の多い棚位置の情報を携帯端末カートへ送信する（Ｂ３）。
【００６５】
棚位置に空きが無い場合、サブ棚の棚位置情報を携帯端末カートへ送信する（Ｂ４）（Ｂ３へ）。
【００６６】
棚位置に空きがある場合、又は、自由に入れたい場合、入庫棚の棚位置情報を携帯端末カートへ送信する（Ｂ５）。
【図面の簡単な説明】
【００６７】
【図１】本発明の一実施の形態の構成を示すブロック図である。
【図２】この実施の形態の構成要素の詳細を説明する図である。
【図３】この実施の形態おける動作の一例を示す流れ図である。
【符号の説明】
【００６８】
１００    棚整理手段
１０１    入出庫処理部
１０２    棚整理処理部
２００    受付手段
２０１    緊急処理部
２０２    納期管理処理部
３００    作業端末
３０１    携帯端末
３０２    受付端末
４０１    物品在庫ＤＢ
４０２    受付情報ＤＢ
５００    通信ネットワーク
【図１】
2006264812.tif 000003
【図２】
2006264812.tif 000004
【図３】
2006264812.tif 000005